(57)【要約】  家具用調整装置は、ハウジング（６）と、ハウジングに変位可能に取り付けられた部品（５）とを備え、切開部（９）と回転要素（７）とが設けられており、回転要素（７）は、回転時に、部品（５）に対してそれを取り囲むハウジング（６）を相対的に移動させる。この場合、回転要素（７）は、正確な調整が得られるように、切開部（９）の接触面（２０、２１）にそれぞれ作用する２個の制御ディスク（１５、１６）を有する。【選択図】  図４Ｂ
2011516224.tif 000002
【特許請求の範囲】
【請求項１】
ハウジング（６、６’）と、ハウジング（６、６’）に変位可能に取り付けられた部品（５、５’）とを備え、切開部（９、９’）と回転要素（７、７’）とが設けられ、前記回転要素（７、７’）は回転時に前記部品（５、５’）に対して前記部品（５、５’）を取り囲む前記ハウジング（６、６’）を相対的に移動させる、家具用調整装置であって、
前記回転要素（７、７’）が、前記切開部（９、９’）の接触面（２０、２１）にそれぞれ作用する２個の制御ディスク（１５、１６）を備える、家具用調整装置。
【請求項２】
前記制御ディスク（１５、１６）は、調整経路の全体にわたって回転角と摺動経路とがほぼ比例するように配設されている、請求項１に記載の調整装置。
【請求項３】
前記ハウジングを変位させるために、前記回転要素（７、７’）は、１８０°を超える、好ましくは２１０°を超える回転角度にわたって回転可能になっている、請求項１または２に記載の調整装置。
【請求項４】
前記制御ディスク（１５、１６）のそれぞれが１つの接触面（２０、２１）に当接し、２つの接触面（２０、２１）が前記切開部（９、９’）の対向する両側に配設されている、請求項３に記載の調整装置。
【請求項５】
前記回転要素（７、７’）は、前記ハウジングを調整する有効レバーアーム長がほぼ一定である回転軸を有する、請求項１〜４のいずれか一項に記載の調整装置。
【請求項６】
前記制御ディスク（１５、１６）のそれぞれが、基礎円の周りに延びるインボリュート形状の外側接触面を有する、請求項１〜５のいずれか一項に記載の調整装置。
【請求項７】
前記２個の制御ディスク（１５、１６）は、中間面に対する基本位置で、調整方向に対して直交する方向に対称に構成されている、請求項１〜６のいずれか一項に記載の調整装置。
【請求項８】
前記切開部（９、９’）の前記２つの接触面がそれぞれ接触線形部（２０、２１）として設けられており、前記回転要素（７、７’）の回転運動時に、前記制御ディスク（１５、１６）の一方の外側面が前記接触線形部（２０、２１）に沿って摺動する、請求項１〜７のいずれか一項に記載の調整装置。
【請求項９】
前記回転要素（７、７’）の最大回転運動が、少なくとも１つの制限ストッパによって制限される、請求項１〜８のいずれか一項に記載の調整装置。
【請求項１０】
前記切開部（９）は、前記変位可能に取り付けられた部品（５）に設けられており、前記回転要素（７）は、少なくとも１個のピン（１４）を介して前記ハウジング（６）に回転可能に保持されている、請求項１〜９のいずれか一項に記載の調整装置。
【請求項１１】
前記切開部（９’）は、前記ハウジング（６’）に設けられており、前記回転要素（７’）は、少なくとも１個のピン（１４）を介して前記変位可能に取り付けられた部品（５’）に回転可能に保持されている、請求項１〜１０のいずれか一項に記載の調整装置。
【請求項１２】
前記ハウジング（６’）が、前記変位可能に取り付けられた部品（５’）の端部を挿入させる受入れ部（１８’）を備える、請求項１〜１１のいずれか一項に記載の調整装置。
【請求項１３】
前記調整装置は、フロントパネル（３）の傾きを調整するために長さの調整が可能な複数部品構成のレール（５、６）として設けられており、前記複数部品構成のレール（５、６）が、互いに変位可能に案内される少なくとも２個の部品を備える、請求項１〜１２のいずれか一項に記載の調整装置。
【請求項１４】
前記レールのハウジング（６）はロッド状部品（５）を取り囲んでおり、前記ロッド状部品（５）は前記ハウジング（６）内に変位可能に受け入れられる、請求項１３に記載の調整装置。
【発明の詳細な説明】
【技術分野】
【０００１】
本発明は、ハウジングと、ハウジングに変位可能に取り付けられた部品とを備え、切開部と、回転時に当該部品に対してそれを取り囲むハウジングを相対的に移動させる回転要素とが配設されている家具用調整装置に関する。
【背景技術】
【０００２】
様々な家具用調整装置が存在する。独国特許第７７１９３２４号により、ベースプレートが偏心ディスクによってサイドプレートに固定された引出しが知られている。回転可能に取り付けられた偏心ディスクは、フロントパネルに固定されたアングル材に作用することができる。これにより、特にフロントパネルを家具の前面に揃えるように、側壁に対するフロントパネルの位置を変更することができる。そのような調整装置は、ベースプレートとアングル材を側壁またはフロントパネルに固定する必要があるため、かつ位置合わせのために相応の調整が必要であるために、取り付けることが比較的難しい。偏心調整は、調整経路が回転角度に対して大きくかつ非線形に変化し、一様な回転とともに一様でない調整がもたらされるという欠点を伴う。さらに、有効レバーアーム長が変化し、最大調整経路が限定される。
【発明の概要】
【発明が解決しようとする課題】
【０００３】
したがって、本発明の目的は、単純な構成と相まって取付けが簡単であり、正確な調整を可能にする家具用調整装置を提供することである。
【課題を解決するための手段】
【０００４】
この目的は、請求項１の特徴を有する家具用調整装置によって達成される。
【０００５】
本発明によれば、回転要素が、切開部の接触面にそれぞれ作用する２個の制御ディスクを備えている。接触面は、切開部の対向する両側に調整方向に配設されており、制御ディスクが一方向にのみ変位を担当するため、最大調整経路が非常に大きくなる。各制御ディスクは、切開部の一方の接触面にのみ作用し、その対向する側では、その制御ディスクが切開部の側壁から間隔を置いて配置されている。
【０００６】
調整装置の好ましい形態によれば、制御ディスクは、調整経路の全体にわたって回転角と摺動経路とがほぼ比例するように配設されている。偏心ディスクの場合と異なり、制御ディスクの形状は、回転要素の回転時の角度変化が比例変位を保証するように、選択することができる。好ましくは、ハウジングを変位させるために、回転要素は、１８０°を超える、好ましくは２１０°を超える回転角度にわたって回転可能になっている。変位運動のために大きな角度範囲が使用できるように、２４０°を超える、例えばほぼ３６０°までの回転角度も実現可能である。
【０００７】
調整装置の回転要素が、ハウジングを調整する有効レバーアーム長がほぼ一定である回転軸を有していれば、さらに有利である。制御ディスクのそれぞれが、基礎円の周りに延びるインボリュート形状の外側接触面を有してもよい。これにより、調整中に力がほぼ同じ状態になるように、有効レバーアーム長が一定に保たれる。２個の制御ディスクは、中間面に対する基本位置で、調整方向に対して直交する方向に対称に配置されてもよい。好ましくは、コンパクトな構成のため、切開部は、変位可能に取り付けられた部品に設けられる。その場合、回転要素は、少なくとも１個のピンを介してハウジングに回転可能に保持される。さらに、ハウジングは、変位可能に取り付けられた部品の端部を挿入させる受入れ部を備えてもよく、それによって、端部が外側から見えなくなる。
【０００８】
本発明の別の形態によれば、切開部がハウジングに設けられており、回転要素が少なくとも１個のピンを介して変位可能に取り付けられた部品に回転可能に保持されるため、取り付けられた部品には、ブシュとして円形開口だけを設ければよい。
【０００９】
調整装置は、フロントパネルの傾きを調整するために長さの調整が可能な複数部品構成のレールとして設けられることができ、複数部品構成のレールは、互いに変位可能に案内される少なくとも２個の部品を備える。これにより、フロントパネルの調整を、レールの長さのみを調整するという単純な方法で行うことができる。この方法は、引出しの場合に特に使用可能である（引出しの場合、レール長さの変化が、床から離れた上方領域においてフロントパネルを別の位置にもたらしてしまう）。その場合、調整装置は、数個のみの構成部品で非常に簡単に設けられる。さらに、調整装置は、ヒンジや、取付け板や、引き戸の摺動要素など、他の家具用接続具にも使用可能である。
【００１０】
別の形態によれば、ハウジングはロッド状部品を取り囲んでおり、ロッド状部品はハウジング内に変位可能に受け入れられる。これにより、調整方向に直交する方向に支持して、調整方向への安定した線形の案内が可能になる。
以下、同封の図面を参照にして、本発明を実施形態でさらに詳細に説明する。
【図面の簡単な説明】
【００１１】
【図１】図１は、本発明にかかる引出し用調整装置の一部の斜視図を示す。
【図２】図２は、図１の調整装置の詳細図を示す。
【図３Ａ】図３Ａは、図１の引出し調整装置の図を示す。
【図３Ｂ】図３Ｂは、図１の引出し調整装置の図を示す。
【図４Ａ】図４Ａは、取付け位置の引出し調整装置の図を示す。
【図４Ｂ】図４Ｂは、取付け位置の引出し調整装置の図を示す。
【図５Ａ】図５Ａは、異なる位置の図１の引出し調整装置の図を示す。
【図５Ｂ】図５Ｂは、異なる位置の図１の引出し調整装置の図を示す。
【図５Ｃ】図５Ｃは、異なる位置の図１の引出し調整装置の図を示す。
【図５Ｄ】図５Ｄは、異なる位置の図１の引出し調整装置の図を示す。
【図６Ａ】図６Ａは、調整装置の別の実施形態の図を示す。
【図６Ｂ】図６Ｂは、調整装置の別の実施形態の図を示す。
【図６Ｃ】図６Ｃは、調整装置の別の実施形態の図を示す。
【図６Ｄ】図６Ｄは、調整装置の別の実施形態の図を示す。
【図７】図７は、本発明にかかる調整装置を備えたヒンジの図を示す。
【図８】図８は、本発明にかかる調整装置を備えたヒンジ用の取付け板の図を示す。
【図９】図９は、本発明にかかる調整装置を備えた引き戸用接続具の図を示す。
【発明を実施するための形態】
【００１２】
引出し１は、一方の側でフロントパネル３に接続され、その反対の側で後壁４に接続された床２を備えている。フロントパネル３と後壁４との間には、調整装置を形成するレールが取り付けられており、レールは、ロッド状部品５と、スリーブ状ハウジング６を備えている。ハウジング６には、レールの長さを調整する回転要素７が設けられている。後壁４とフロントパネル３との間のレールの下方には、床２の上に側壁８が取り付けられている。レールの長さを変えることによって、フロントパネル３の傾きを変更することができる。
【００１３】
図３Ａおよび図３Ｂにおいて分かるように、ロッド状部品５は、矩形断面を有しており、スリーブ状ハウジング６の矩形開口に挿入されて、ハウジング６内で変位することができる。この目的のために、ロッド状部品５の切開部９に係合する回転要素７が設けられている。ロッド状部品５は、中空断面材として設けられており、その結果、切開部９の領域でそれぞれ接触面２１、２０を形成する２つの隣接する側壁１０、１１が提供される。
【００１４】
回転要素７を取り付けるために、ハウジング６には、大きな円形開口１２と、ハウジング６の対向する側の壁にある小さな円形開口１３とが設けられている。小さな開口１３は、回転要素７のピボットを形成するピン１４を受け入れるために使用される。大きな開口１２は、回転要素７のディスク１７がハウジング６に回転可能に保持されるように、ディスク１７用の接触面を形成する。さらに、回転要素７は、第１の制御ディスク１５と、第２の制御ディスク１６を備えており、制御ディスク１５は切開部９の壁１１に、制御ディスク１６は切開部９の壁１０に均等に当接している。
【００１５】
図４Ａおよび図４Ｂは、取付け位置の回転要素７を示す。制御ディスク１５が切開部９の左側の接触面２０に当接する一方、制御ディスク１６が切開部９の右側の壁１０の接触面２１に当接している。これにより、回転要素７の回転時に、レールの長さが工具によって任意で伸縮される。回転要素７が回転する方向に応じて、制御ディスク１５がハウジング６の右側への移動を保証し、制御ディスク１６がハウジング６の左側への移動を保証する。
【００１６】
回転要素７が図５Ａの位置に示されており、この位置では、制御ディスク１５がロッド状部品５の壁１１の直線状接触面２０に当接し、その反対の側では、制御ディスク１６とロッド状部品５の壁１０との間で接触面２１も直線状に設けられている。制御ディスク１５、１６は、回転要素７の回転軸を通って鉛直に延びる中間面に対して対称に構成されている。さらに、制御ディスク１５、１６は、切開部９の対向配置された平行な２つの接触面２０、２１に作用する外周を、インボリュート形状（伸開線形状）にして設けられており、レールの線形の調整を可能にしている。
【００１７】
制御ディスク１５、１６は、制御ディスクの接触面がロッド状部品の切開部の接触面に常に当接するか、あるいは全ての回転角で切開部の接触面に当接するか、あるいは常に切開部の接触面と係合状態にあるように配設されている。
【００１８】
回転要素７は、制御ディスク１５が常に接触面２０に当接した状態で、図５Ｂにおける反時計方向に回転する。しかしながら、ハウジング６は右方向にわずかにしか変位しない。回転要素７がさらに回転されると、図５Ｃに示す位置に達し、ハウジング６がさらにわずかに右方向に動かされ、ロッド状部品５がハウジング６から押し出される。これにより、レールが伸長される。
【００１９】
図５Ｄは、レールを短くするために、回転要素７が図５Ａの位置から時計方向に回転した位置を示す。その結果、制御ディスク１６が直線状接触面２１に押し当たり、ハウジング６を左側へ押圧する。制御ディスク１５には、切開部９の接触面２２に当接するストッパ２３が設けられている。これにより、回転要素７の最大回転経路が制限される。同様に、回転要素７の回転経路は、制御ディスク１６の反対方向へのストッパによっても制限される。
【００２０】
図示の実施形態では、ロッド状部品５とハウジング６は、プラスチックおよび／または金属から製造可能であり、ほぼ連動するように互いに案内され得る。回転要素７は、一体的にあるいは複数の部品から設けられてもよく、プラスチックまたは金属からなる。回転要素７は、正確な調整ができるように、切開部９にほぼ連動するようにして、反対の両側面に当接する。
【００２１】
ロッド状部品５は、この実施形態では、中空断面材として設けられている。中実の断面材を提供可能であることも明らかである。この場合、切開部９には、相応の段付きの構造が設けられてもよい。さらに、ロッド状部品５とハウジング６の受入れ部は、矩形断面以外の形状を有してもよい。レール５は、円形、楕円形や他の断面形状を有してもよい。ハウジング６とロッド状部品５は、フロントパネル３または後壁４に接着または螺着されてもよいし、他の締結手段を介して取り付けられてもよい。ハウジング６は、フロントパネル３または後壁４に任意で固定することができる。
【００２２】
図６Ａ〜図６Ｄは、引出し１’内の調整装置の別の実施形態を示す。調整装置は、フロントパネル３と後壁４との間に配設されている。フロントパネル３にはハウジング６’が固定されており、フロントパネル３に板状部品５’が変位可能に取り付けられている。この目的のために、回転要素７’が設けられている。
【００２３】
上述の実施形態と同様に、回転要素７’は、第１の制御ディスク１５と、第２の制御ディスク１６を備えており、図４Ｂおよび図５Ａ〜図５Ｄに示すように、制御ディスク１５は、切開部９’の第１の壁１１に当接し、制御ディスク１６は第２の壁１０に当接している。切開部９’は、変位可能部品５’ではなく、ハウジング６’に設けられている。回転要素７’は、変位可能部品５’の円形開口１３’に回転可能に保持される突出ピン１４をさらに備えている。
【００２４】
ハウジング６’には、変位可能に取り付けられた部品５’の端部を挿入させる溝状受入れ部１８’が設けられており、変位可能に取り付けられた部品５’は、受入れ部１８’に保護されるように配設されている。回転要素７’を回転させると、変位可能部品５’がハウジング６’に対して変位し、回転要素７’が変位可能部品５’と共に移動する。このため、ハウジング６’に、回転要素７’の円板状頭部を受け入れる受け２８が形成されている。受け２８は、カバー２５によって係止ピン２６で閉塞可能に設けられている。係止ピン２６は、ハウジング６’のそれぞれ対応する係止受け２７に挿入させることができる。その結果、調整装置の回転要素７’が外側から見えないように配置される。反対の側では、ピン１４がハウジング６’によって被覆されるためである。
【００２５】
変位可能部品５’は、例えば、ガラスから製造されてもよい。木材やプラスチックなど、他の材料が使用されてもよい。
【００２６】
図示の実施形態では、調整装置は、引出しのレールに使用されていた。本発明にかかる調整装置を引出しのフロントパネルの高さ調整のためにも使用可能であることは明らかである。さらに、調整装置は、ヒンジの奥行き調整や、ヒンジ用取付け板の高さ調整や、引き戸接続具の高さ調整など、他の家具用接続具にも使用可能である。
【００２７】
図７は、ハウジング３１と、ハウジング３１に接続されたヒンジカップ３２とを有するヒンジ３０が示されており、上述の実施形態に詳述したような調整装置が設けられている。調整装置の回転要素の頭部３３が図示されており、頭部は、ハウジング３１の矢印方向の変位を保証する。
【００２８】
図８に示す実施形態は、ヒンジ３０または他の家具用接続具の取付け板４０を示し、板本体４１は回転要素４２によって矢印方向に調整可能に配設されている。
【００２９】
図９の実施形態は、レール５１に案内される車輪を備えた引き戸用接続具５０を示す。車輪にはウェブ５３が設けられており、ウェブ５３には戸棚扉などの摺動要素５２が吊下げ式に固定されている。摺動要素５２の高さの設定を可能にするため、概略的に回転要素５４のみを示す調整装置が設けられている。
【図１】
2011516224.tif 000003
【図２】
2011516224.tif 000004
【図３Ａ】
2011516224.tif 000005
【図３Ｂ】
2011516224.tif 000006
【図４Ａ】
2011516224.tif 000007
【図４Ｂ】
2011516224.tif 000008
【図５Ａ】
2011516224.tif 000009
【図５Ｂ】
2011516224.tif 000010
【図５Ｃ】
2011516224.tif 000011
【図５Ｄ】
2011516224.tif 000012
【図６Ａ】
2011516224.tif 000013
【図６Ｂ】
2011516224.tif 000014
【図６Ｃ】
2011516224.tif 000015
【図６Ｄ】
2011516224.tif 000016
【図７】
2011516224.tif 000017
【図８】
2011516224.tif 000018
【図９】
2011516224.tif 000019
【国際調査報告】
2011516224.tif 000020
2011516224.tif 000021
2011516224.tif 000022
2011516224.tif 000023